(57)【要約】  容易に樹脂製コードを交換できる刈払機を提供する。刈払機１０は、一対のコード取付部７３、７４を含む回転鋸２７０を有している。コード取付部７３、７４は、それぞれ、回転鋸７０の挿通孔７２から外周に向かって、回転鋸２７０の半径方向に並んだ３つのコードガイド７３Ａ、７４Ａと、回転鋸２７０の回転方向に並んだ２つのコードガイド７３Ｂ、７４Ｂを有している。ナイロンコード８０を用いないときには、ナイロンコード８０の先端をコードガイド７３Ｂ、７４Ｂに通すことにより、回転鋸２７０の径方向の先端からナイロンコード８０が突出しないように、ナイロンコード８０の先端を退避させることができる。
2020105200.tif 000002
【特許請求の範囲】
【請求項１】
刈払機であって、
持ち手と、
持ち手の一端に配置されたロータと、
前記ロータに回転力を付与して、前記ロータの回転軸を回転させる駆動源と、
前記ロータの回転軸に固定されて、前記回転軸の回転に伴って回転する回転刃と、
前記回転刃の上面に配置された、キワ草刈り用の樹脂コードを取り付けるためのコード取付部であって、前記樹脂コードが挿通されて前記樹脂コードをガイドする複数のガイド孔が形成されたコードガイドを有するコード取付部と、
を備え、
前記コードガイドの前記ガイド孔は、前記樹脂コードを前記ロータの回転軸の回転方向に直交する径方向に沿ってガイドする少なくとも１つの第１ガイド孔と、前記樹脂コードを前記ロータの回転軸の回転方向に沿ってガイドする少なくとも１つの第２ガイド孔とを有することを特徴とする刈払機。
【請求項２】
前記少なくとも１つの第２ガイド孔は、前記少なくとも１つの第１ガイド孔に対して、前記回転方向の下流側に配置されている請求項１に記載の刈払機。
【請求項３】
前記コード取付部は、さらに別の前記コードガイドを有し、
前記コードガイドの前記第１ガイド孔が前記樹脂コードをガイドする方向と、前記別のコードガイドの前記第１ガイド孔が前記樹脂コードをガイドする方向とのなす角度は１８０°未満である請求項１又は２に記載の刈払機。
【請求項４】
刈払機に取り付けられる回転刃であって、
外周に刃が形成された回転刃本体と、
前記回転刃本体の上面に配置された、キワ草刈り用の樹脂コードを取り付けるためのコード取付部であって、前記樹脂コードが挿通される複数のガイド孔を有するコードガイドを有するコード取付部を備え、
前記コード取付部の前記コードガイドは、前記回転刃と一体形成されており、
前記コードガイドの前記ガイド孔は、前記樹脂コードを前記回転刃の外周に沿った周方向に直交する径方向に沿ってガイドする少なくとも１つの第１ガイド孔と、前記樹脂コードを前記周方向に沿ってガイドする少なくとも１つの第２ガイド孔とを有する回転刃。
【請求項５】
前記少なくとも１つの第２ガイド孔は、前記少なくとも１つの第１ガイド孔に対して、前記周方向の一方側に配置されており、
前記周方向の一方側は、前記回転刃を前記刈払機に取り付けて回転させたときの回転刃の回転方向の下流側である請求項４に記載の回転刃。
【請求項６】
前記コード取付部は、さらに別の前記コードガイドを有し、
前記コードガイドの前記第１ガイド孔が前記樹脂コードをガイドする方向と、前記別のコードガイドの前記第１ガイド孔が前記樹脂コードをガイドする方向とのなす角度は１８０°未満である請求項４又は５に記載の回転刃。
【発明の詳細な説明】
【技術分野】
【０００１】
本発明は、コードカッターを装着可能な回転鋸及びそれを備える刈払機に関する。
【背景技術】
【０００２】
従来、原動機、シャフト、回転鋸などの回転刃を有し、ユーザがシャフトに固定されたハンドルを操作して草や小径木を刈払うための刈払機（草刈機ともいう）が知られている。チップソーなどの金属刃の回転鋸を用いた場合には、草や小径木を効率よく刈り払うことができるが、柵や石などの障害物に近い場所では、使用することできない。そこで、刈払機の回転鋸が取り付けられているロータ部分に、太めのナイロンコードのような樹脂製のコードも取り付けられた刈払機が知られている（特許文献１参照）。これにより、柵や石などの障害物に近い場所では樹脂製のコードを、キワ草刈り用のカッターとして用いることができる。
【先行技術文献】
【特許文献】
【０００３】
【特許文献１】特開２００７−２７４９３７号公報
【発明の概要】
【発明が解決しようとする課題】
【０００４】
特許文献１に記載の刈払機においては、樹脂コードが巻かれたコードリールを内蔵するコードリールカセット（線状刃回転ユニット）がロータ部分に取り付けられている。そのため、ロータ部分に回転鋸だけが取り付けられている刈払機と比較すると、構造が複雑になって嵩張るとともに、重量も増してしまうため、ユーザの作業効率が悪くなる。また、キワ草刈りを行わないときには、樹脂製のコードは不要であるが、コードリールカセットを着脱する作業には時間も手間もかかり、慣れも必要である。【０００５】
本発明の目的は、ユーザが樹脂コードを容易に着脱可能であって、ロータ部分に回転刃だけが取り付けられている刈払機と比較しても構造が複雑でない刈払機及びそれに用いる回転刃を提供することである。
【課題を解決するための手段】
【０００６】
本発明の態様に従えば、
持ち手と、
持ち手の一端に配置されたロータと、
前記ロータに回転力を付与して、前記ロータの回転軸を回転させる駆動源と、
前記ロータの回転軸に固定されて、前記回転軸の回転に伴って回転する回転刃と、
前記回転刃の上面に配置された、キワ草刈り用の樹脂コードを取り付けるためのコード取付部であって、前記樹脂コードが挿通されて前記樹脂コードをガイドする複数のガイド孔が形成されたコードガイドを有するコード取付部と、
を備え、
前記コードガイドの前記ガイド孔は、前記樹脂コードを前記ロータの回転軸の回転方向に直交する径方向に沿ってガイドする少なくとも１つの第１ガイド孔と、前記樹脂コードを前記ロータの回転軸の回転方向に沿ってガイドする少なくとも１つの第２ガイド孔とを有することを特徴とする刈払機が提供される。
【発明の効果】
【０００７】
本発明の刈払機では、キワ草刈り用の樹脂コードを取り付けるためのコード取付部が回転刃の上面に取り付けられているので、回転刃に容易に樹脂製のコードを取り付けることができる。そのため、キワ草刈りの作業を行うかどうかに合わせて、樹脂製のコードを容易に着脱することができる。さらに、回転方向に沿って並んでいる第２ガイド孔が設けられているので、これらに樹脂コードを通すことができる。これにより、回転刃の先端よりも、径方向の外側に樹脂コードの先端が突出することを防ぐことができる。回転刃を使って草木を刈りたいときには、樹脂コードを取り外すことなく、一時的に、回転刃の先端よりも、径方向の外側に樹脂コードの先端が突出しないように、第２ガイド孔の方に樹脂コードの先端を退避させることができる。【０００８】
本発明の刈払機に用いられる回転刃には、例えば、プレス加工等により、樹脂製のコードを取り付けるコード取付部を回転刃と一体的に設けることができる。その場合には、回転刃と別の部品によりコード取付部が形成されている場合と比べて、部品点数を少なくすることができるとともに、製造工程を簡素化することができる。そのため、例えば回転刃に、別部品で構成されたコード取付部を取り付ける場合と比べて、回転刃及びコード取付部を軽量化できるとともに、安価に製造することができる。
【図面の簡単な説明】
【０００９】
【図１】図１は本実施形態に係る刈払機１０の概略図である。
【図２】図２（ａ）は刈払機１０の回転鋸７０の概略図であり、図２（ｂ）は、コード取付部７３のコードガイド７３Ａの部分拡大図である。
【図３】図３は刈払機１０の回転鋸１７０の概略図である。
【図４】図４は、コードガイド７９を示す図２（ｂ）相当図である。
【図５】図５は刈払機１０の回転鋸２７０の概略図である。
【発明を実施するための形態】
【００１０】
本発明に係る刈払機１０について、図面を参照しつつ説明する。なお、以下の説明においては、図１に示されるように、上側、下側、左側、右側をそれぞれ定義することとする。
【００１１】
図１に示されるように、刈払機１０は、円柱状のロッド２０と、ロッド２０の一端に設けられたロータ部３０と、ロッド２０のロータ部３０と反対側の端部に設けられた駆動部４０と、ロッド２０の駆動部２０に近い側に設けられたハンドル５０と、ロッド２０のロータ部３０に近い側に設けられたガード６０と、ロータ部３０に固定された回転鋸７０とを主に備える。
【００１２】
円柱状のロッド２０は、長さ約１５００ｍｍ〜１７００ｍｍ程度の中空の金属製パイプであり、その上端に駆動部４０が取り付けられている。駆動部４０は、モータ４１と、モータ４１に電力を供給するためのバッテリ４２とを備えている。モータ４１の回転軸４３の回転は、ロッド２０の内部に設けられた不図示の伝達機構を通じてロータ部３０に伝達される。ロータ部３０は、伝達機構を通じてモータ４１の回転軸４３から伝達された回転駆動力によって回転するように構成されたシャフトを備える。
【００１３】
ハンドル５０は、ユーザが刈払機１０を把持するための取手であり、略Ｕ字形状を有する。ハンドル５０の一端には、モータ４１に連動するスイッチ５１が取り付けられており、ユーザがスイッチ５１をオンにしている間、モータ４１が駆動してロータ部３０が回転する。
【００１４】
ロータ部３０のシャフトには雄ねじ状にネジが切られており、シャフトに挿通された回転鋸７０は、ナット等の締結部材によってシャフトに固定される。
【００１５】
図２に示されるように、回転鋸７０は、円形の板状の金属部材であり、その外周には複数の鋸状の刃（鋸刃７１）が設けられている。また、回転鋸７０の中央には、ロータ部３０のシャフトに挿通するための挿通孔７２が形成されている。なお、本実施形態の回転鋸７０は、いわゆるチップソーであり、鋸刃７１の先端（刃先）には、タングステンカーバイト等の硬い焼結合金で形成された不図示の硬質チップが取り付けられている。これにより、鋸刃７１の耐摩耗性を向上させている。
【００１６】
回転鋸７０の上面には、一対のコード取付部７３、７４と、一対のコード取付部７５、７６とが形成されている。コード取付部７３は、３つのコードガイド７３Ａを含み、コード取付部７４は、３つのコードガイド７４Ａを含んでいる。３つのコードガイド７３Ａは、回転鋸７０の挿通孔７２から外周に向かって、回転鋸７０の半径方向に並んでいる。同様に、３つのコードガイド７４Ａも、回転鋸７０の挿通孔７２から外周に向かって回転鋸７０の半径方向に並んでいる。３つのコードガイド７３Ａと３つのコードガイド７４Ａとは、挿通孔７２を挟んで互いに向かい合うように一直線上に並んでいる。コードガイド７３Ａ、７４Ａは、いずれも、回転鋸７０にプレス加工を行うことによって形成された、断面が半円状のトンネル形状の孔であって半径方向に延在している。
【００１７】
コード取付部７５は、６つのコードガイド７５Ａを含み、コード取付部７６は、６つのコードガイド７６Ａを含んでいる。６つのコードガイド７５Ａは、上面視でＶ字状に並んでいる。つまり、６つのコードガイド７５Ａは、回転鋸７０の挿通孔７２から外周に向かって、回転鋸７０の半径方向に２列に並んでおり、この２つのコードガイド列は半径方向の外側に向かって広がるように配置されている。つまり、２つのコードガイド列のなす角度は、０°より大きく、１８０°より小さい。６つのコードガイド７６Ａも、コードガイド７５Ａと同様に、上面視でＶ字状に並んでいる。コードガイド７５Ａ、７６Ａは、コードガイド７３Ａ、７４Ａと同様に、回転鋸７０にプレス加工を行うことによって形成された、断面が半円状のトンネル形状の孔であって、いずれも半径方向に延在している。
【００１８】
コード取付部７３、７４には、ストッパ付きナイロンコード８０を装着することができる。ストッパ付きナイロンコード８０は、ナイロン製の紐状のナイロンコード部８１と、ナイロンコード部８１の一端に設けられた円筒形状のストッパ８２とを有する。ナイロンコード部８１の断面積は、コードガイド７３Ａ、７４Ａの断面積よりも小さいが、ストッパ８２の断面積はコードガイド７３Ａ、７４Ａの断面積よりも大きい。そのため、ナイロンコード部８１はコードガイド７３Ａ、７４Ａを通ることができるが、ストッパ８２はコードガイド７３Ａ、７４Ａを通ることができない。
【００１９】
次に、コード取付部７３にストッパ付きナイロンコード８０を装着する方法について説明する。なお、コード取付部７４にストッパ付きナイロンコード８０を装着する方法もこれと同じであるので、説明を省略する。ナイロンコード部８１の長さが比較的長い場合には、ナイロンコード部８１が３つのコードガイド７３Ａを通るように、回転鋸７０の半径方向の内側から外側に向かって挿入される。このとき、ストッパ８２は最も内側のコードガイド７３Ａと挿通孔７２との間に位置する。ロータ部３０を回転させて回転鋸７０を回転させる場合、ストッパ付きナイロンコード８０には、回転鋸７０の半径方向の外側に向かう遠心力がかかる。しかしながら、上述のように、ストッパ８２の断面積はコードガイド７３Ａの断面よりも大きいため、ストッパ８２はコードガイド７３Ａを通ることができない。そのため、ストッパ付きナイロンコード８０に遠心力がかかったとしても、ストッパ８２がコードガイド７３Ａに引っかかることにより、ストッパ付きナイロンコード８０が遠心力により抜けてしまうことが防止される。なお、ストッパ付きナイロンコード８０が、回転鋸７０の半径方向の内側にずれることを防止するために、回転鋸７０の、ストッパ付きナイロンコード８０をコードガイド７３Ａに取り付けたときにストッパ８２の半径方向の内側の面と当接する位置に、突起を設けることができる。このような突起は、例えば、プレス加工により、回転鋸７０に形成することができる。
【００２０】
ストッパ付きナイロンコード８０を用いてキワ草刈りを行うと、徐々にナイロンコード部８１の先端が摩耗して短くなる。そのような場合には、ストッパ８２が最も内側のコードガイド７３Ａと内側から２番目のコードガイド７３Ａのとの間に位置するように、ストッパ付きナイロンコード８０を半径方向の外側にずらしてコード取付部７３に取り付けることができる。さらに、ナイロンコード部８１の先端が摩耗して短くなった場合には、ストッパ８２が内側から２番目のコードガイド７３Ａと最も外側のコードガイド７３Ａのとの間に位置するように、ストッパ付きナイロンコード８０を半径方向の外側にずらしてコード取付部７３に取り付けることができる。このように、ストッパ付きナイロンコード８０のナイロンコード部８１の摩耗の程度に応じて、取付位置を調整することにより、種々の長さのストッパ付きナイロンコード８０を利用することができる。
【００２１】
コード取付部７５、７６には、ストッパの付いていないナイロンコード８５を装着することができる。ナイロンコード８５の断面積は、コードガイド７５Ａ、７６Ａの断面積よりも小さい。そのため、ナイロンコード８５はコードガイド７５Ａ、７６Ａを通ることができる。
【００２２】
次に、コード取付部７５にナイロンコード８５を装着する方法について説明する。なお、コード取付部７６にナイロンコード８５を装着する方法もこれと同じであるので、説明を省略する。ナイロンコード８５の長さが比較的長い場合には、半径方向に１列に並んだ３つのコードガイド７５Ａを通るように、ナイロンコード８５が回転鋸７０の半径方向の外側から内側に向かって挿入される。そして、最も内側のコードガイド７５Ａを通った後にＵターンして、隣の列の３つのコードガイド７５Ａを通るように、ナイロンコード８５が回転鋸７０の半径方向の内側から外側に向かって挿入される。ロータ部３０を回転させて回転鋸７０を回転させる場合、ナイロンコード８５には、回転鋸７０の半径方向の外側に向かう遠心力がかかる。上述のように、ナイロンコード８５は、半径方向の最も内側の２つのコードガイド７５Ａの間でＵターンしている。そのため、ナイロンコード８５に遠心力がかかったとしてもＵターンしている部分がストッパの役目を果たすため、ナイロンコード８５が遠心力により抜けてしまうことが防止される。
【００２３】
ナイロンコード８５を用いてキワ草刈りを行うと、徐々にナイロンコード８５の先端が摩耗して短くなる。そのような場合には、ナイロンコード８５が、内側から２番目にある２つのコードガイド７３Ａの間でＵターンするように、ナイロンコード８５を半径方向の外側にずらしてコード取付部７５に取り付けることができる。さらに、ナイロンコード８５の先端が摩耗して短くなった場合には、ナイロンコード８５が、最も外側にある２つのコードガイド７３Ａの間でＵターンするように、ナイロンコード８５を半径方向の外側にずらしてコード取付部７５に取り付けることができる。このように、ナイロンコード８５の摩耗の程度に応じて、取付位置を調整することにより、種々の長さのナイロンコード８５を利用することができる。
【００２４】
本実施形態に係る刈払機１０においては、回転鋸７０にコード取付部７３、７４が設けられているので、ストッパ付きナイロンコード８０を取り付けることができる。さらに、回転鋸７０にはコード取付部７５、７６が設けられているので、ストッパが付いていないナイロンコード８５を取り付けることもできる。いずれにおいても、ナイロンコードの先端の摩耗の度合いに合わせて、取付位置を調整することにより、種々の長さのナイロンコードを利用することができる。
【００２５】
本実施形態に係る刈払機１０においては、回転鋸７０にプレス加工を施すことにより、コード取付部７３〜７６が回転鋸７０と一体的に形成されている。そのため、回転鋸と別の部品によりコード取付部が形成されている場合と比べて、部品点数を少なくすることができ、軽量化を図るとともに安価に形成することができる。また、回転鋸にナイロンコードを巻き取って収容したコードリールを取り付ける必要がないため、刈払機の回転鋸の部分の構造を簡素化でき、小型化することができる。そのため、ユーザが刈払機を取り扱いやすくなる。ユーザは、新しいナイロンコードを使用したいとき、太さの異なるナイロンコードを使用したいときには、回転鋸７０に設けられたコード取付部７３〜７６にナイロンコードを通すだけでよいので、従来の刈払機と比べて大幅に交換の手間が省ける。また、ナイロンコードを用いないで、回転鋸７０で草木を直接刈り取りたいときには、ユーザは容易にナイロンコード８０、８５を取り外すことができる。
【００２６】
なお、本発明は、上記の実施形態に限定されるものではなく、本発明の趣旨を逸脱しない範囲で変更可能である。例えば、上記実施形態の回転鋸７０には、ストッパ付きナイロンコード８０を取り付けるためのコード取付部７３、７４と、ストッパが付いていないナイロンコード８５を取り付けるためのコード取付部７５、７６の両方が設けられていた。しかしながら本発明はそのような態様には限られず、コード取付部７３、７４か、コード取付部７５、７６のいずれか一方が設けられていてもよい。また、コード取付部７３、７４には、それぞれ３つのコードガイド７３Ａ、７４Ａが設けられていたが、コードガイド７３Ａ、７４Ａの数は任意に設定しうる。例えば、コードガイド７３Ａ、７４Ａの径方向の長さを長くすることにより、１つのコードガイド７３Ａ、７４Ａでストッパ付きナイロンコード８０をガイドすることもできる。なお、上述のようにストッパ付きナイロンコード８０の取付位置を調整できるようにするために、コードガイド７３Ａ、７４Ａの数を２以上にすることが好ましい。
【００２７】
上記実施形態において、コード取付部７５、７６には、それぞれ６つのコードガイド７５Ａ、７６Ａが設けられていたが、コードガイド７５Ａ、７６Ａの数は任意に設定しうる。なお、上述のようにナイロンコード８５の取付位置を調整できるようにするために、コードガイド７５Ａ、７６Ａの数を４以上にすることが好ましい。例えば、図３に示すように、回転鋸１７０に、１２個のコードガイド７７Ａを有するコード取付部７７及び１８個のコードガイド７８Ａを有するコード取付部７８を設けることもできる。ナイロンコード８５を図３に示されるように往復させて取り付けることにより、コード取付部７５、７６に取り付けられるナイロンコード８５よりも長いナイロンコード８５を取り付けることができる。
【００２８】
上記実施形態においては、コード取付部７３、７４には、回転鋸７０の径方向に一列にコードガイド７３Ａ、７４Ａが設けられていた。また、コード取付部７５、７６には、回転鋸７０の径方向に２列に並んだコードガイド７５Ａ、７６Ａが設けられていた。さらに、図５に示される回転鋸２７０のように、各コード取付部７３〜７６は、回転鋸１７０の周方向（回転方向）に沿って並んだ複数のコードガイド７３Ｂ、７４Ｂ、７５Ｂ、７６Ｂを含んでもよい。図５に示されるように、２つのコードガイド７３Ｂは、３つのコードガイド７３Ａのうち、径方向の最も外側にあるコードガイド７３Ａよりもさらに径方向の外側において、回転方向に沿って並んでいる。なお、回転鋸２７０は、図に示された回転方向を示す矢印の向きに回転する。２つのコードガイド７３Ｂは、３つのコードガイド７３Ａよりも回転方向の下流側に位置している。複数のコードガイド７４Ｂ、７５Ｂ、７６Ｂも、コードガイド７３Ｂと同様に配置されているので、説明を省略する。
【００２９】
回転鋸２７０においては、回転方向に沿って並んでいるコードガイド７３Ｂ、７４Ｂ、７５Ｂ、７６Ｂが設けられているので、これらにナイロンコード８０、８５を通すことにより、回転鋸２７０の鋸刃７１の先端よりも、径方向の外側にナイロンコード８０、８５の先端が突出することを防ぐことができる。これにより、回転鋸２７０の鋸刃７１を使って草木を刈りたいときには、ナイロンコード８０、８５を取り外すことなく、一時的に、回転鋸２７０の鋸刃７１の先端よりも、径方向の外側にナイロンコード８０、８５の先端が突出しないように退避させることができる。また、コードガイド７３Ｂ、７４Ｂ、７５Ｂ、７６Ｂからナイロンコード８０、８５を取り外すことにより、容易にナイロンコード８０、８５を用いたキワ草刈りを行うこともできる。
【００３０】
なお、コードガイド７３Ｂ、７４Ｂ、７５Ｂ、７６Ｂは、それぞれ、コードガイド７３Ａ、７４Ａ、７５Ａ、７６Ａよりも回転方向の下流側に位置している。そのため、コードガイド７３Ｂ、７４Ｂ、７５Ｂ、７６Ｂにナイロンコード８０、８５を通した状態で、回転鋸２７０を回転させたときに、ナイロンコード８０、８５の先端が草木等に当たって引っかかる可能性を低減させることができる。
【００３１】
上記説明において、円周方向に並ぶコードガイド７３Ｂ、７４Ｂは、それぞれ２つずつ設けられており、円周方向に並ぶコードガイド７５Ｂ、７６Ｂはそれぞれ４つずつ設けられていた。しかしながら、本発明はそのような態様には限られず、円周方向に並ぶコードガイドの数は１又は複数の任意の数に設定しうる。
【００３２】
上記説明において、コードガイド７３Ａ〜７８Ａは、回転鋸７０にプレス加工を行うことによって形成された、断面が半円状のトンネル形状の孔であり、いずれも半径方向に延在している。しかしながら、本発明において、コードガイドは、どのような形状であっても構わない。例えば、図４に示されるように、回転鋸７０の一部を半円の扇形に切り抜くとともに、その周りに半円状の切り込みを入れることによって、アーチ部７９を形成し、アーチ部７９を回転鋸７０の上面に対して垂直に立つように折り曲げることによって、コードガイド７９Ａを形成することもできる。
【００３３】
また、上記説明において、コードガイド７３Ａ〜７９Ａ、７３Ｂ〜７６Ｂは、回転鋸７０、１７０、２７０にプレス加工を行うことによって金属製の回転鋸から一体的に形成されている。しかしながら本発明は必ずしもこのような態様には限られない。例えば、コードガイドがネジ止め、溶接などによって回転鋸の上面に形成されていてもよい。また、回転鋸及びコードガイドの材質は必ずしも金属でなくてもよく、適宜好適な材料を使用しうる。
【００３４】
上記実施形態においては、キワ草刈り用のコードカッタとして、ナイロンコード８０、８５を例に挙げて説明してきたが、キワ草刈り用のコードカッタは必ずしもナイロン製のコードカッタをでなくてもよく、他の樹脂などによって形成されたコードカッタでもよい。また、上記実施形態においては、刈払機１０に取り付けられる回転刃として、チップソーである回転鋸７０を例に挙げて説明してきたが、回転鋸７０は必ずしもチップソーでなくてもよく、先端に硬質チップが設けられていない回転鋸であってもよい。回転鋸７０は、外周に沿って複数の鋸刃７１が形成されていたが、本発明に係る回転刃は回転鋸に限られず、１枚刃、２枚刃、４枚刃などの刃を備えた回転刃であってもよい。また、刈払機１０はバッテリ４２を備えており、電力で駆動されていたが、例えばエンジンにより駆動されてもよい。
【符号の説明】
【００３５】
１０      刈払機
７０      回転鋸
７３〜７９        コード取付部
７３Ａ〜７９Ａ    コードガイド
８０、８５    ナイロンコード
【図１】
2020105200.tif 000003
【図２】
2020105200.tif 000004
【図３】
2020105200.tif 000005
【図４】
2020105200.tif 000006
【図５】
2020105200.tif 000007
【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
刈払機であって、
持ち手と、
持ち手の一端に配置されたロータと、
前記ロータに回転力を付与して、前記ロータの回転軸を回転させる駆動源と、
前記ロータの回転軸に固定されて、前記回転軸の回転に伴って回転する回転刃と、
キワ草刈り用の樹脂コードを取り付けるためのコード取付部であって、前記回転刃の上面に配置され、且つ、前記回転刃と一体形成されたコードガイドを有するコード取付部と、
を備え、
前記コードガイドは、前記樹脂コードが挿通されて前記樹脂コードをガイドする複数のガイド孔を有し、
前記コードガイドの前記ガイド孔は、前記樹脂コードを前記ロータの回転軸の回転方向に直交する径方向に沿ってガイドするように前記径方向に列状に並んだ複数の第１ガイド孔と、前記樹脂コードを前記ロータの回転軸の回転方向に沿ってガイドするように前記回転方向に列状に並んだ複数の第２ガイド孔とを有することを特徴とする刈払機。
【請求項２】
前記複数の第２ガイド孔は、前記複数の第１ガイド孔に対して、前記回転方向の下流側に配置されている請求項１に記載の刈払機。
【請求項３】
前記コード取付部は、さらに別の前記コードガイドを有し、
前記コードガイドの前記複数の第１ガイド孔が前記樹脂コードをガイドする方向と、前記別のコードガイドの前記複数の第１ガイド孔が前記樹脂コードをガイドする方向とのなす角度は１８０°未満である請求項１又は２に記載の刈払機。
【請求項４】
刈払機に取り付けられる回転刃であって、
外周に刃が形成された回転刃本体と、
キワ草刈り用の樹脂コードを取り付けるためのコード取付部であって、前記回転刃本体の上面に配置され、且つ、前記回転刃本体と一体形成されたコードガイドを有するコード取付部と、を備え、、
前記コードガイドは、前記樹脂コードが挿通されて前記樹脂コードをガイドする複数のガイド孔を有し、
前記コードガイドの前記ガイド孔は、前記樹脂コードを前記回転刃本体の外周に沿った周方向に直交する径方向に沿ってガイドするように前記径方向に列状に並んだ複数の第１ガイド孔と、前記樹脂コードを前記周方向に沿ってガイドするように前記周方向に列状に並んだ複数の第２ガイド孔とを有する回転刃。
【請求項５】
前記複数の第２ガイド孔は、前記複数の第１ガイド孔に対して、前記周方向の一方側に配置されており、
前記周方向の一方側は、前記回転刃を前記刈払機に取り付けて回転させたときの回転刃の回転方向の下流側である請求項４に記載の回転刃。
【請求項６】
前記コード取付部は、さらに別の前記コードガイドを有し、
前記コードガイドの前記複数の第１ガイド孔が前記樹脂コードをガイドする方向と、前記別のコードガイドの前記複数の第１ガイド孔が前記樹脂コードをガイドする方向とのなす角度は１８０°未満である請求項４又は５に記載の回転刃。
【手続補正２】
【補正対象書類名】明細書
【補正対象項目名】０００６
【補正方法】変更
【補正の内容】
【０００６】
本発明の態様に従えば、
持ち手と、
持ち手の一端に配置されたロータと、
前記ロータに回転力を付与して、前記ロータの回転軸を回転させる駆動源と、
前記ロータの回転軸に固定されて、前記回転軸の回転に伴って回転する回転刃と、
キワ草刈り用の樹脂コードを取り付けるためのコード取付部であって、前記回転刃の上面に配置され、且つ、前記回転刃と一体形成されたコードガイドを有するコード取付部と、
を備え、
前記コードガイドは、前記樹脂コードが挿通されて前記樹脂コードをガイドする複数のガイド孔を有し、
前記コードガイドの前記ガイド孔は、前記樹脂コードを前記ロータの回転軸の回転方向に直交する径方向に沿ってガイドするように前記径方向に列状に並んだ複数の第１ガイド孔と、前記樹脂コードを前記ロータの回転軸の回転方向に沿ってガイドするように前記回転方向に列状に並んだ複数の第２ガイド孔とを有することを特徴とする刈払機が提供される。
【手続補正３】
【補正対象書類名】明細書
【補正対象項目名】０００７
【補正方法】変更
【補正の内容】
【０００７】
本発明の刈払機では、キワ草刈り用の樹脂コードを取り付けるためのコード取付部が回転刃の上面に取り付けられているので、回転刃に容易に樹脂製のコードを取り付けることができる。そのため、キワ草刈りの作業を行うかどうかに合わせて、樹脂製のコードを容易に着脱することができる。さらに、回転方向に沿って並んでいる複数の第２ガイド孔が設けられているので、これらに樹脂コードを通すことができる。これにより、回転刃の先端よりも、径方向の外側に樹脂コードの先端が突出することを防ぐことができる。回転刃を使って草木を刈りたいときには、樹脂コードを取り外すことなく、一時的に、回転刃の先端よりも、径方向の外側に樹脂コードの先端が突出しないように、第２ガイド孔の方に樹脂コードの先端を退避させることができる。
【国際調査報告】
2020105200.tif 000008
2020105200.tif 000009
2020105200.tif 000010
2020105200.tif 000011